(57)【特許請求の範囲】
【請求項１】
筐体と、これに出し入れ可能に収容される引出形の電子機器ユニットとを備え、前記電子機器ユニットの背面にこの電子機器ユニット内の入出力配線に接続したコネクタプラグを設け、筐体内にその入出力配線に接続されたコネクタレセプタクルを固定配設し、前記電子機器ユニットを前記筐体に挿入することにより、前記電子機器ユニットのコネクタプラグと筐体のコネクタレセプタクルとを結合し、相互の電気的接続を行うものにおいて、
前記電子機器ユニットの前記コネクタプラグを設けた背面にガイド穴または単一部品からなるガイド突起を設け、前記筐体の前記コネクタレセプタクルを取付けたコネクタ取付板に前記電子機器ユニットのガイド穴または単一部品からなるガイド突起と嵌合する単一部品からなるガイド突起またはガイド穴を設け、前記電子機器ユニットの前記筐体への挿入時に、前記電子機器ユニット側のコネクタプラグと前記筐体側のコネクタレセプタクルが結合される前に、前記電子機器ユニット側のガイド穴または単一部品からなるガイド突起と前記筐体側の単一部品からなるガイド突起またはガイド穴とを嵌合し、前記電子機器ユニット側のコネクタプラグと前筐体側のコネクタレセプタクルとの位置合わせを行うものとし、
前記コネクタ取付板と電子機器ユニットの互いに対向する面の何れか一方に前記電子機器ユニットの前記筐体に対する奥行き方向の挿入量を規制する挿入規制部材を設け、
前記挿入規制部材は、前記電子機器ユニットまたはコネクタ取付板の何れかに設ける単一部品からなるガイド突起の中間に設ける前記ガイド穴の内径より大きな外径を有する段部とすることを特徴とする引出し形電子機器装置。
【請求項２】
請求項１に記載のものにおいて、前記ガイド穴を円形または角形の穴とし、前記ガイド突起を断面が円形または角形の突起とすることを特徴とする引出形電子機器装置。
【請求項３】
請求項１または２に記載のものにおいて、前記ガイド突起を断面が円形または角形の截頭錐体とすることを特徴とする引出形電子機器装置。
【請求項４】
請求項１〜３の何れか１項に記載のものにおいて、前記コネクタ取付板は、前記電子器ユニットの出し入れを案内し、支持するガイドレールと一体に形成されていることを特徴とする引出形電子機器装置。
【請求項５】
請求項４に記載のものにおいて、前記ガイドレールは、前記ガイドレールの長手方向の両辺を垂直に立ち上げ、前記電子機器ユニットの挿入方向に沿って形成されたガイド辺を含むことを特徴とする引出形電子機器装置。
【発明の詳細な説明】
【技術分野】
【０００１】
この発明は、電子機器をユニット化し、このユニット化した電子機器ユニットを、盤本体を構成する筐体に引出し可能に収容した引出し形電子機器装置に関する。
【背景技術】
【０００２】
電子機器ユニットを本体となる筐体に出し入れ可能に収容した引出し形電子機器装置は、電源装置や電力変換装置等の多くの電子機器装置に使用される。また、このような引出し形電子機器装置においては、電子機器ユニットの配線と筐体内の配線との接続を容易にするためにコネクタによる接続が利用される。
【０００３】
このため、電子機器ユニットの背面にこのユニット内の入出力配線を接続したコネクタプラグを設け、筐体側にこのコネクタプラグに対応して筐体内の入出力配線を接続したコネクタレセプタクルを固定的に設け、電子機器ユニットを筐体内に挿入することにより、電子機器ユニットのコネクタプラグと筐体のコネクタレセプタクルとを嵌合結合し電気的接続を行い、電子機器ユニットを筐体から引き出すことによりコネクタプラグをコネクタレセプタクルから抜き出し電気的接続を切断する。
【０００４】
引出し形電子機器装置における電子機器ユニットの出し入れによるコネクタの挿抜を円滑にするために、電子機器ユニットのコネクタプラグの設けられた背面にＵ字形のハンドルを突設し、このハンドルを、電子機器ユニットの筐体への挿入時のガイドに利用し、電子機器ユニットの挿入方向と直交する平面内での位置を調整することが既に提案されている（特許文献１参照）。
【０００５】
図７および図８に、特許文献１に示された従来の引出形電子機器装置の構成を示す。
【０００６】
図７に示すように、電子機器ユニット５１は、ガイドレール６３，６４により案内支持されて筐体６１に挿入、収容される。電子機器ユニット５１側の配線と筐体側の配線は、電子機器ユニット５１を筐体６１内に挿入し、押し込むことにより、それぞれの嵌合形のコネクタ（プラグ）７１とコネクタ（レセプタクル）７２とを相互に嵌合し結合することより接続される。
【０００７】
電子機器ユニット５１は、ユニットケース５２内に必要な電子機器および回路を収容し、その正面５３にスイッチ５５や表示ランプ５９等を備え、背面５４にコネクタプラグ７１を備える。このコネクタプラグ７１に電子機器ユニット５１のすべての入出力配線が接続される。また背面５４の上側に、丸棒をＵ字形に折り曲げて構成したユニット取り扱い用のハンドル５７が取り付けられている。
【０００８】
筐体６１は、電子機器ユニット５１を複数収納可能に構成されているが、図７には、そのうちの１個が示されている。電子機器ユニット５１を筐体６１に収容するとき、電子機器ユニット５１は、筐体６１内に平行に固定配置されたガイドレール６３、６４上に載置して、この上を滑らせて押し込まれる。
【０００９】
電子機器ユニット５１が筐体６１内の奥へ挿入されると、図８（ａ）、（ｂ）に示すように、ユニットケース５２の背面に設けられたハンドル５７が、筐体６１内の背面側に設置されたコネクタ取付板６２に形成されたガイド穴６７の縁に接近または接触する。ガイド穴６７の縁に接触したハンドル５７は、さらなる挿入操作により、ガイド穴の縁を滑ってガイド穴６７内に進入し、コネクタ取付板６２の反対側へ突出する。電子機器ユニット５１をさらに、電子機器ユニット５１のコネクタプラグ７１が、コネクタ取付板６２に取付けたコネクタレセプタクル７２に嵌合し結合されるまで押し込むことによって、両者の電気的接続が行われる。電子機器ユニット５１が挿入され、コネクタプラグ７１が、コネクタレセプタクル７２に接近したところで、ハンドル５７がコネクタ取付板６２のガイド穴６７に進入し、ガイド穴の６７の内縁よって案内されることにより、電子機器ユニット５１の位置が調整され、コネクタプラグ７１と取付板６２のコネクタレセプタクル３９との位置ずれが修正され、両者の結合を円滑にするとともに、結合後の電子機器ユニット５１の振れ止めが行なわれる。これによってコネクタの結合時に衝撃が加わり難く、また、挿入後に電子機器ユニットが振れなくなるので、コネクタの端子ピンの折損等の損傷の発生が抑えられるようになる。
【００１０】
このように従来装置おいては、電子機器ユニット５１を筐体６１に挿入する際に、電子機器ユニット５１に設けたハンドル５７がガイド穴６７により案内されることにより、コネクタのプラグとレセプタィルとの位置合わせを行うことができるが、電子機器ユニット５１を案内するガイドレール６３、６４と筐体６１側のコネクタのレセプタクル７２の設けられるコネクタ取付板６２とが別々に構成されているため、両者の組み立て時の誤差により、電子機器ユニット５１のコネクタプラグ７１と筐体６１の取付板６２のコネクタレセプタクル７２の取付位置のずれが大きくなり、コネクタ結合の円滑性が損なわれることがある。この場合は、複数の電子機器ユニット５１を筐体６１に収容する個々の電子機器ユニットごとに、ガイドレール６３、６４上に載置した電子機ユニットのコネクタとコネクタ取付板のコネクタの位置が一致するようにコネクタ取付板等の固定位置を調整する必要があり装置の組み立て調整に手間がかかる不都合がある。
【先行技術文献】
【特許文献】
【００１１】
【特許文献１】特開平１０−１１２５９１号公報
【発明の概要】
【発明が解決しようとする課題】
【００１２】
この発明の課題は、前記した従来装置における不都合を解決するため、電子機器ユニットを筐体に挿入して収容する際に、コネクタの取付け位置の事前調整を行わなくとも電子機器ユニットの挿入操作だけで電子機器ユニット側のコネクタと筐体側のコネクタの結合を円滑かつ確実に行うことのできる電子機器装置を提供することである。
【課題を解決するための手段】
【００１３】
前記の課題を解決するため、この発明は、電子機器ユニットと、これを出し入れ可能に収容する筐体とを備え、前記電子機器ユニットの背面にこの電子機器ユニット内の入出力配線に接続したコネクタプラグを設け、筐体内にその入出力配線に接続されたコネクタレセプタクルを取付けたコネクタ取付板を固定配設し、前記電子機器ユニットを前記筐体に出し入れすることにより、前記電子機器ユニットのコネクタプラグと筐体のコネクタレセプタクルとの挿抜を行うものにおいて、
前記電子機器ユニットの前記コネクタプラグを設けた背面にガイド穴またはガイド突起を設け、前記筐体の前記コネクタレセプタクルを取付けたコネクタ取付板に前記電子機器ユニットのガイド穴またはガイド突起と嵌合するガイド突起またはガイド穴を設け、前記電子機器ユニットの前記筐体への挿入時に、前記電子機器ユニット側のコネクタプラグと前記筐側のコネクタレセプタクルが結合される前に、前記電子機器ユニット側のガイド穴またはガイド突起と前記筐体側のガイド突起またはガイド穴とを嵌合し、前記電子機器ユニット側のコネクタプラグと前筐体側のコネクタレセプタクルとの位置合わせを行うことを特徴とするものである。
【００１４】
この発明において、前記ガイド穴を円形または角形の穴とし、前記ガイド突起を断面が円形または角形の突起とすることができる。
【００１５】
また、この発においては、前記ガイド突起を断面が円形または角形の截頭錐体とするのが良い。
【００１６】
この発明においては、前記コネクタ取付板と電子機器ユニットの互いに対向する面の何れか一方に前記電子機器ユニットの前記筐体に対する奥行き方向の挿入量を規制する挿入規制部材を設けることができる。
【００１７】
この挿入規制手段として、前記電子機器ユニットまたはコネクタ取付板の何れかに設けるガイド突起の中間に設ける前記ガイド穴の内径より大きな外径を有する段部とすることができる。
【００１８】
さらに、この発明においては、前記コネクタ取付板を前記電子器ユニットの出し入れを案内し、支持するガイドレールと一体に結合するのが良い。
【発明の効果】
【００１９】
この発明によれば、電子機器ユニットを筐体に挿入する際、コネクタが相互に結合される前に電子機器ユニットまたはコネクタ取付板に設けたガイド穴と、前記コネクタ取付板または電子機器ユニットに設けたガイド突起とを嵌合させることにより、ガイド電子機器ユニット側のコネクタプラグとコネクト取付板の筐体側のコネクタレセプタクルとの正確な位置合わせを行うので、両コネクタを円滑かつ正確に嵌合することができるので引出し形電子機器装置におけるコネクタの挿抜性および信頼性を向上することができる。
【００２０】
また、電子機器ユニットの挿入量を規制する挿入規制部材を設けることにより、電子機器ユニットの筐体の奥行方向の挿入量が規制され、所定の位置から奥への挿入が禁止されるので、コネクタプラグがコネクタレセプタクルの過剰な挿入によるコネクタ内部の端子ピン等の変形や破損の危険がなくなる。
【図面の簡単な説明】
【００２１】
【図１】この発明の電子機器装置の第１の実施例における電子機器ユニットの挿入途中の状態を示すもので、（ａ）は、前面側から見た斜視図、（ｂ）は、背面側から見た斜視図である。
【図２】この発明の電子機器装置の第１の実施例における電子機器ユニットの完全な挿入状態を示すもので、前面側から見た斜視図である。
【図３】この発明の電子機器装置の第１の実施例における電子機器ユニットの挿入過程を示すもので、（ａ）は、完全な挿入状態の直前の状態を示す部分断面図、（ｂ）は完全な挿入状態を示す分断面図である。
【図４】この発明の電子機器装置の第１の実施例の全体構成を示す分解斜視図である。
【図５】この発明の電子機器装置の第１の実施例における電子機器ユニットの筐体への取付け挿入状態を示す前面側から見た部分斜視図である。
【図６】この発明の電子機器装置の第２の実施例の全体構成を示すもので、（ａ）は、前面側から見た解斜視図、（ｂ）は、背面側から見た解斜視図である。
【図７】従来の電子機器装置の構成の要部を示す分解斜視図である。
【図８】従来の電子機器装置の構成の要部を示すもので、（ａ）は、その部分縦断面図、（ｂ）はその部分横断面図である。
【発明を実施するための形態】
【００２２】
この発明の実施の形態を図に示す実施例について説明する。
【実施例１】
【００２３】
図１〜図５は、この発明の電子機器装置の第１の実施例を示すものである。
【００２４】
図１〜図５において、１は、電子機器ユニットであり、ユニットケース１１内に必要な各種の電子機器類を収容してユニット化したものある。２は支持枠であり、電子機器ユニット１を支持して筐体４に取付け固定するものである。
【００２５】
図１は、電子機器ユニット１を支持枠２の途中まで挿入した状態を示している。この図１に示すように、電子機器ユニット１のユニットケース１１の背面１４には、内部の電源線および入出力配線を接続した嵌合形のコネクタ３のコネクタプラグ３１が取り付けられるとともに円形または角形の穴で形成されたガイド穴３３が設けられている（図１（ｂ）参照）。また、ユニットケース１１の前面（正面）１２には、固定用取付片１３が下方に突出して設けられている（図1（ａ）参照）。
【００２６】
支持枠２は、電子機器ユニット１を案内、支持するガイドレール２１と、コネクタレセプタクル３２を取付けたコネクタ取付板２２とを直角に一体に結合してＬ字形に形成されている。ガイドレール２１は、長手方向の両辺に、垂直に立ち上がった、電子機器ユニット１を案内するためのガイド辺２１ａを備え、ガイドレール２１の表面には、摩擦係数の小さい材料で形成されたスライドレール２１ｂが設けられている。ガイドレール２１の前端（基端）には、直角に折り曲げて下方に突出形成された固定用フランジ２４が設けられている。
【００２７】
さらに支持枠２のコネクタ取付板２２には、電子機器ユニット１の背面１４に設けられたコネクタプラグ３１のそれぞれに嵌合結合されるコネクタレセプタクル３２が設けられるとともに、電子機器ユニット１の背面１４のガイド穴３３に嵌入される断面が円形または角形の截頭錐形状の先頭が細くなったガイド突起３４が設けられている。
【００２８】
また、支持枠２は、電子機器ユニット１を縦（垂直）方向に配置する場合は、図４に示すように、電子機器ユニット１を収容する直方形状の筐体４内に、支持枠２のガイドレール２１を水平にし、コネクタ取付板２２を垂直にし、背面（奥行）側にして横（水平）方向に適宜の間隔で配列して筐体４に設けた取付枠４３に取付けられる。このとき支持枠２は、ガイドレール２１の前端に設けた固定用フランジ２４を取付枠４３にねじ止めすることにより固定される。
【００２９】
このように取付枠体４３に支持枠２を固定した筐体４内に電子機器ユニット１を挿入する場合は、支持枠２の前面側から電子機器ユニット１をこれに挿入し、電子機器ユニット１をガイドレール２１上に載置する。そして、電子機器ユニット１を奥まで押し込む際に、支持枠２のガイドレール２１がこの上を滑らせながら案内する。このとき、ガイドレール２１上に設けられたスライドレール２１ｂがガイドレール２１と電子機器ユニット１との間の摩擦を軽減するので、電子機器ユニット１のガイドレール２１上での滑動を円滑にする。
【００３０】
図１に示すように支持枠２の途中まで挿入した電子機器ユニット１は、さらにガイドレール２１上を滑らせながら、電子機器ユニット１のコネクタプラグ３１が、コネクタ取付板２２のコネクタレセプタクル３２に嵌合結合されるまで完全に押し込まれ、図２に示すように電子機器ユニット１が支持枠２へ完全に挿入された状態で筐体４内に収容される。
【００３１】
電子機器ユニット１の支持枠２に完全に挿入される直前の状態と完全に挿入された状態を図３（ａ）、（ｂ）に示す。
【００３２】
図３（ａ）は、電子機器ユニット１が支持枠２に完全に挿入される直前の状態である。この状態では、支持枠２に挿入された電子機器ユニット１のユニットケース１１の背面１４に取付けたコネクタプラグ３１が、まだ、支持枠２のコネクタ取付板２２に取付けたコネクタレセプタクル３２と接触せず、離間している。そして、支持枠２のコネクタ取付板２２に設けたガイド突起３４の先端が、ユニットケース１１の背面１４に設けたガイド穴３３に進入する直前の状態にある。
【００３３】
ここから、さらに電子機器ユニット１を支持枠２に押し込むと、コネクタプラグ３１とコネクタレセプタクル３２が接触結合する前に、支持枠２側のガイド突起３４の細くなった先端部が電子機器ユニット１側のガイド穴３３に進入する。そのまま押し込み操作を継続すると、ガイド穴３３に進入したガイド突起３３の外縁が、ガイド穴３３の内縁と接触することにより位置を規制されながら電子機器ユニット１が奥へ押し込まれる。複数（２個）のガイド穴３３とガイド突起３４とにより位置を規制されながら電子機器ユニット１が挿入されることにより、電子機器ユニット１の支持枠２上における挿入方向と直交する平面内での位置ずれが修正され、電子機器ユニット１の位置が規定の正しい位置に調整される。
【００３４】
このため、電子機器ユニット１のコネクタプラグ３１と支持枠２のコネクタレセプタクル３２とが接触し結合を始めるときは、電子機器ユニット１のコネクタプラグ３１の位置が、支持枠２のコネクタレセプタクル３２と正しく向き合う位置に合わせられているので、両方のコネクタの嵌合および結合が円滑となり、コネクタを嵌合する際にコネクタの端子ピンの折損やフレームの変形等の破損をなくすことができる。
【００３５】
また、ガイド突起３４には、図３（ａ）に示すように中間に、外径がガイド穴３３の内径よりも大きくなる段部３４ａが設けられている。この段部３４ａは、電子機器ユニット１の奥行き方向への押し込み量を制限する作用をする。すなわち、電子機器ユニット１のユニットケース１１の背面１４が、このガイド突起３４の段部３４ａに当たる位置まで挿入される（図３（ｂ）参照）と、背面１４の挿入がガイド突起３４の段部３４ａにより阻止され、電気機器ユニット１のこれ以上の押し込み操作ができなくなり、奥行き方向への挿入が制限される。
【００３６】
このため、電子機器ユニット１の押し込み操作により、電子機器ユニット１側のコネクタプラグ３１と支持枠２側のコネクタレセプタクル３２とが嵌合結合される際、コネクタ３の最適な嵌合状態となる押し込み深さの位置で電子機器ユニット１の背面１４がガイド突起３４の段部３４ａに当たるように段部３４ａの高さを設定することにより、電子機器ユニット１の過剰な押し込みを防止することができる。これにより、コネクタ３１、３２には、過剰押し込みによる破損や結合不良が発生しなくなる。
【００３７】
支持枠２のガイド突起３４の段部３４ａに電子機器ユニット１のユニットケース１１の背面１４が当たる位置まで電子機器ユニット１は挿入された状態が、完全な挿入状態となり、この状態で、図３（ｂ）に示すように、コネクタプラグ３１がコネクタレセプタクル３２に適正の深さまで嵌入し、両者が確実に嵌合結合される。
【００３８】
このように電子機器ユニット１が支持枠２に完全な挿入状態となるまで挿入されたところで、電子機器ユニット１を筐体４に固定するために、図５に示すように、ユニットケース１１の前面に下方へ突出して設けられた固定用取付片１３を支持枠２の固定フランジ２４にねじ１５により締め付け固定する。
【００３９】
そして、電子機器ユニット１の固定された支持枠２は、支持枠２の固定フランジ２４をねじ２５により筐体４に固設された取付枠４３に締め付け固定することにより筐体４に固定される。この場合、予め、支持枠２を、筐体４に固設された取付枠４３に取付け固定しこれに電子機器ユニット１を挿入するか、電子機器ユニット１を支持枠２挿入した後に、この支持枠２を取付枠４３に取付けるようにするかは、どちらでもよく、適宜選択することができる。
【００４０】
筐体４に収容固定された電子機器ユニット１は、メンテナンスまたは交換を行う場合は、ねじ１５を外すことにより、支持枠２および筐体４から引き出し、取り出すことができる。
【００４１】
この発明においては、電子機器ユニット１のユニットケース１１と前記筐体４のコネクタ取付板２２との間に、前記電子機器ユニッ１トの筐体４への挿入方向の挿入量を規制する挿入規制手段としてガイド突起３４を設けているので、電子機器ユニット１の筐体４の支持枠２への挿入時に挿入方向の挿入量が規制されることにより、過剰な挿入が防止され、コネクタプラグ３１とコネクタレセプタクル３２の過剰挿入に伴う変形、破損を防止することができるので、コネクタの挿抜の操作性、信頼性が向上することができる。
【００４２】
第１の実施例では、コネクタのプラグ３１を電子機器ユニット１に取付け、コネクタのレセプタクル３２を支持枠２のコネクタ取付板２２に取付けた例を示したが、この発明においては、プラグ３１を支持枠２のコネクタ取付板２２に取付け、レセプタクル３２を電子機器ユニット１に取付けるようにすることもできる。
【００４３】
また、この発明においては、ガイド突起３４を電子機器ユニット１に取付け、これに対応するガイド穴３３を支持枠２のコネクタ取付板２２に設けるようにしてもよい。
【実施例２】
【００４４】
次にこの発明の第２の実施例について説明する。
【００４５】
図６は、この発明の実施例２を示すものである。この実施例２においては、電子機器ユニット１支持する支持枠２が、図６に示すように、上下に平行に並べて２本のガイドレール２１、２３を配置し、このガイドレール２１，２３の先端間をコネクタ取付板２２で連結して、Ｃ字形に構成される。このように、電子機器ユニット１を支持、案内する支持枠２をＣ字形に構成すると、これに電子機器ユニット１を挿入したとき、電子機器ユニット１が、上下のガイドレール２１、２３によって支持されるので、電子機器ユニット１の支持がより安定となり、コネクタプラグ３１とコネクタレセプタクル３２をより正確に位置合わせすることが可能となる。
【符号の説明】
【００４６】
１：電子機器ユニット
１１：ユニットケース
１３：取付フランジ
２：支持枠
２１、２３：ガイドレール
２２：コネクタ取付板
２４：固定片
３１：コネクタプラグ
３２：コネクタレセプタクル
３３：ガイド穴
３４：ガイド突起
３４ａ：段部
４：筐体
４３：取付枠体
【図１】
0006398358.tif 000002
【図２】
0006398358.tif 000003
【図３】
0006398358.tif 000004
【図４】
0006398358.tif 000005
【図５】
0006398358.tif 000006
【図６】
0006398358.tif 000007
【図７】
0006398358.tif 000008
【図８】
0006398358.tif 000009